(57)【要約】【課題】  作業者によって把手される操作レバー１３と、操作レバー１３に固定された軸部とがあり、操作レバー１３が回転することで生じる軸部の回転に応じ、搬送ベルト３と感光体とを近接又は離間させる接離機構を有する、装置本体に対して着脱可能な転写材搬送ユニット１９を備え、作業者が操作レバー１３を軸部の軸方向に沿って引くことにより、転写材搬送ユニット１９が装置本体から取り外されるように構成された画像形成装置において、搬送ベルト３と感光体との接離機構を操作する操作レバー１３が、ユニット引き出し動作を繰り返し行っても、操作レバー１３と転写材搬送ユニット１９をつなぐ軸部に変形を生じさせないようにする。【解決手段】  操作レバー１３と軸部との接合部を中心とした、軸部の軸線を含む仮想平面に沿った該操作レバー１３の回動動作を規制する回動規制手段としての凸部１３ｃを設けた。【選択図】  図６
2005091980.tif 000002
【特許請求の範囲】
【請求項１】
像担持体上のトナー像が転写される転写位置を通過するように転写材を搬送する転写材搬送部材と、
作業者によって把手される把手部を有する操作レバーと、
該把手部の一端部に固定された軸部と、
該操作レバーが該一端部を中心に回転することで生じる軸部の回転に応じ、該像担持体に対して該転写材搬送部材を近接又は離間させる接離機構とを有する、装置本体に対して着脱可能な転写材搬送ユニットを備え、
作業者が該把手部を把手して該操作レバーを該軸部の軸方向に沿って引くことにより、該転写材搬送ユニットが装置本体から取り外されるように構成された画像形成装置において、
該一端部を中心とした、該軸部の軸線を含む仮想平面に沿った該操作レバーの回動動作を規制する回動規制手段を有することを特徴とする画像形成装置。
【請求項２】
請求項１の画像形成装置において、
上記回動規制手段を、上記一端部を挟んで上記把手部の反対側に設けられ、上記転写材搬送ユニットの外板に接触する回動規制部材で構成したことを特徴とする画像形成装置。
【請求項３】
請求項２の画像形成装置において、
上記回動規制部材に当接して上記操作レバーの回転範囲を規制する回転範囲規制部材を、上記外板上に設けたことを特徴とする画像形成装置。
【請求項４】
請求項１の画像形成装置において、
上記操作レバーに、上記一端部から上記把手部の反対側へ延びる延出部を設け、
上記回動規制手段を、上記軸部の軸方向に沿って該操作レバーを引くときに該延出部と接触するように、上記転写材搬送ユニットの外板上に設けられた回動規制部材で構成することを特徴とする画像形成装置。
【請求項５】
請求項１、２、３または４の画像形成装置において、
上記転写材搬送ユニットは、上記転写材搬送部材を有する転写装置と、トナー像が転写された転写材にトナー像を定着させる定着装置とを含むことを特徴とする画像形成装置。
【請求項６】
請求項５の画像形成装置において、
上記転写材搬送ユニットは、レジストローラを含むことを特徴とする画像形成装置。
【発明の詳細な説明】
【技術分野】
【０００１】
本発明は、複写機、プリンタ、ファクシミリ等の電子写真方式を用いた画像形成装置に関するものである。
【背景技術】
【０００２】
一般に、静電写真プロセスが利用されている画像成形装置では、予め所定の極性に一様帯電された感光体に原稿画像に対応した静電潜像が形成される。この静電潜像は、感光体の周囲の所定位置に設けられた現像部で現像される。すなわち、現像部から供給される帯電した微粉体であるトナーによって静電潜像が現像されてトナー像化される。感光体上に形成されたトナー像は、感光体の回転によって転写部へと達し、転写部に搬送されてきた転写材に転写される。その後、転写材に転写されたトナー像は、定着部で転写材に対して定着される。
転写材を転写搬送ベルトによって感光体回りの転写位置へと搬送する画像形成装置においては、転写搬送ベルトが他の転写装置等とともにユニット化され、このユニットが装置本体に着脱自在に装着されているものが多い。これは、転写位置周辺で紙詰まりが発生した時に、装置本体からユニット後と引き出すことで、紙詰まり処理作業（以下、ジャム処理と呼ぶ）を行い易くしたものである。
【０００３】
従来、転写材搬送ベルトを含んだユニットを、装置本体から引き出す時に感光体と転写材搬送ベルトとが近接した状態にあると、引き出し動作の際に、感光体と転写材搬送ベルトとが接触し、傷がつく恐れがあった。そこで、感光体から転写材搬送ベルトを離間、近接する接離動作を行う機構と、それを操作する操作レバーとを装置本体に設置する構成が知られている（例えば、特許文献１参照）。この構成の画像形成装置では、ジャム処理を以下の手順で行う。まず、装置本体に設けられた操作レバーを操作することにより、感光体から転写材搬送ベルトを離間させ、その後、ユニットに設けられたユニット引出し用把手部を用いてユニットを引き出し、詰まった紙を取り除く。
【０００４】
上述の画像形成装置では、操作レバーは装置本体に設けられていた為、上記ユニットを引き出す際に用いる把手部は、操作レバーとは別にユニット側に設けられていた。そのため作業者は、引き出す時に操作レバーを持ってこれを操作し、転写ベルトを感光体から離間させた後、今度はユニット引出し用把手部に持ち替えてユニットを引き出すという煩雑な作業を行わなければならない。このような持ち替え動作を省き、操作性を向上し、かつ、部品数を少なくする為に、操作レバーと転写材搬送ベルトの接離機構をユニット側に設け、その操作レバーをユニット引き出し用の把手部として兼用した構成が提案された（特許文献２参照）。
【０００５】
【特許文献１】特開平０９−２３６９９３
【特許文献２】特開平１１−２４９５３０
【発明の開示】
【発明が解決しようとする課題】
【０００６】
しかしながら、上記特許文献２の構成では、ユニットの引き出し動作を繰り返し行うと、次のような問題が生じた。
上記特許文献２で用いられた操作レバーの形状を図４に示す。この操作レバー１３は作業者がレバーを手に持つ把手部１３ａを有する。ユニット内における転写ベルト接離機構に対して操作レバーの回転動作を伝えるための軸部１１は把手部１３ａの一端に設けられる把手支持部１３ｂに連結している。この構成においては、レバー１３を回転させることにより転写ベルト接離機構の接離動作が行われる。このような接離動作を実現するべく、操作レバー１３とユニット１９は軸部のみで連結している。しかも、軸部１１は把手部１３ａの端部でつながっている。このため、ユニットを引き出すために図のように把手部１３ａを力Ｆで引っ張ると、点Ｐを中心に回転力が加わる。その結果、軸部１１の曲げモーメントＭが働いてしまう。この結果、繰り返し引き出し動作を行うと、軸部１１が変形する。
本発明は、以上の問題に鑑みなされたものであり、その目的とするところは、転写材搬送部材を有する転写材搬送ユニットを装置本体から引き出すための把手部を兼用し、搬送ベルトと感光体との接離機構を操作する操作レバーが、ユニット引き出し動作を繰り返し行っても、操作レバーとユニットをつなぐ軸部に変形を生じさせない画像形成装置を提供することである。
【課題を解決するための手段】
【０００７】
上記目的を達成するために、請求項１の発明は、像担持体上のトナー像が転写される転写位置を通過するように転写材を搬送する転写材搬送部材と、作業者によって把手される把手部を有する操作レバーと、該把手部の一端部に固定された軸部と、該操作レバーが該一端部を中心に回転することで生じる軸部の回転に応じ、該像担持体に対して該転写材搬送部材を近接又は離間させる接離機構とを有する、装置本体に対して着脱可能な転写材搬送ユニットを備え、作業者が該把手部を把手して該操作レバーを該軸部の軸方向に沿って引くことにより、該転写材搬送ユニットが装置本体から取り外されるように構成された画像形成装置において、該一端部を中心とした、該軸部の軸線を含む仮想平面に沿った該操作レバーの回動動作を規制する回動規制手段を有することを特徴とするものである。
また、請求項２の発明は、請求項１の画像形成装置において、上記回動規制手段を、上記一端部を挟んで上記把手部の反対側に設けられ、上記転写材搬送ユニットの外板に接触する回動規制部材で構成したことを特徴とするものである。
また、請求項３の発明は、請求項２の画像形成装置において、上記回動規制部材に当接して上記操作レバーの回転範囲を規制する回転範囲規制部材を、上記外板上に設けたことを特徴とするものである。
また、請求項４請求項１の画像形成装置において、上記操作レバーに、上記一端部から上記把手部の反対側へ延びる延出部を設け、上記回動規制手段を、上記軸部の軸方向に沿って該操作レバーを引くときに該延出部と接触するように、上記転写材搬送ユニットの外板上に設けられた回動規制部材で構成したことを特徴とするものである。
また、請求項５の発明は、請求項１、２、３または４の画像形成装置において、上記転写材搬送ユニットは、上記転写材搬送部材を有する転写装置と、トナー像が転写された転写材にトナー像を定着させる定着装置とを含むことを特徴とするものである。
また、請求項６の発明は、請求項５の画像形成装置において、上記転写材搬送ユニットは、レジストローラを含むことを特徴とするものである。
【０００８】
上記請求項１乃至６の画像形成装置では、転写材搬送ユニットを引き出す際、軸部と把手部との連結部を中心に軸線を含む仮想平面に沿った操作レバーの回動動作を規制する回動規制手段を有することにより、軸部に加わる曲げモーメントを軽減することができる。
【発明の効果】
【０００９】
請求項１乃至６の発明によれば、ユニット引出し用把手を兼用する操作レバーを用いて、ユニットの引き出し動作を繰り返し行っても、操作レバーと転写材搬送ユニットを連結する軸部に変形が生じることを防止するいう効果がある。
【発明を実施するための最良の形態】
【００１０】
以下、図面を参照しながら本発明を適用した実施形態について説明する。図１は本発明を適用した画像形成装置の転写材搬送装置とその周辺部の説明図である。図１から分かるように、本実施形態の画像形成装置は、その表面に画像情報に対応する静電潜像が形成される像担持体として感光体ドラム１を有している。なお、像担持体としては、感光体ドラム以外に中間転写体や磁性像担持体などを挙げることができる。
【００１１】
感光体ドラム１の周囲には、以下に挙げるような各部材が備えられている。感光体ドラム１の表面を帯電処理する帯電チャージャー２２があり、帯電処理後の感光体ドラム１に対して光の画像データを照射して感光体ドラム１の表面に静電潜像を形成する図示しない露光装置が備えられている。そして、感光体ドラム１の表面に形成された静電潜像にトナーを供給することにより静電潜像を可視像化して感光体ドラム１上にトナー像を形成する現像器２０が感光体ドラム回転方向の露光装置の下流側に設置されている。現像器２０の下流側には感光体ドラム１上のトナー像をコピー用紙等の転写材に転写する転写装置（転写バイアスローラ５）と、転写処理終了後に感光体ドラム１を次の複写処理に備えてクリーニングするクリーニング部２１とが設けられている。
【００１２】
また、転写材搬送ベルト３の搬送方向上流側には、図示しない給紙ユニット部から給紙される転写材を所定のタイミングで送り出すレジストローラ２ａ及び２ｂが備えられている。そして、転写材搬送ベルト３の搬送方向下流側には、転写材上のトナー像を定着させる定着器６を設置している。なお、転写材搬送部材としては、転写材搬送ベルト以外にドラム状の転写材搬送部材やローラ状の転写材搬送部材等を挙げることができる。
【００１３】
このような構成において、転写材搬送ベルト３によって搬送された転写材は、転写位置で、転写バイアスローラ５からのチャージにより感光体ドラム１上のトナー像が転写される。その後、転写材搬送ベルト３によって定着器６まで搬送されて、この定着器６でトナー像が転写材に定着される。
【００１４】
また、転写材搬送ベルト３は、転写材搬送ベルト３を駆動するベルト駆動ローラ４ａ、４ｂ及び転写バイアスローラ５とともに、ケース７に収納支持されてケース７と一体となって転写材搬送ベルトユニットＡを構成している。この転写材搬送ベルトユニットＡはこれを支持する支持台８を介して画像形成装置の装置本体内に着脱自在にセットされる。
【００１５】
支持台８は図２に示すように、２つの側板１０ａ、１０ｂを有しており、これら側板１０ａ、１０ｂ間に転写材搬送ベルトユニットＢがセットされる。具体的には、各側板１０ａ、１０ｂに支軸９がとりつけられ、この支軸９を介して転写材搬送ベルトユニットＡのケース７が支持台８に対して着脱可能且つ回動可能に支持される。
【００１６】
また、側板１０ａ、１０ｂ間には、これらの側板１０ａ、１０ｂを貫通するように軸部１１が伸びている。この軸部１１は、各側板の１０ａ、１０ｂに対して回転可能に支持されている。側板１０ａを貫通する軸部１１の端部には、操作レバー１３が取り付け固定されている。側板１０ａ、１０ｂ間に位置する軸部１１の部位には、カム１２が固定されている。このカム１２はケース７を支える支持部材１４に操作レバー１３の回転動作を伝達するものである。
【００１７】
また、図２に示すように、支持台８にはスライドレール１５ａ、１５ｂが設けられており、このスライドレール１５ａ、１５ｂを介して支持台８が装置本体から引き出されるようになっている。また、支持台８の各側板１０ａ（１０ｂ）にはそれぞれ２つの位置決め穴１８ａ、１８ｂ（１８ｃ、１８ｄ）が設けられている。これらの位置決め穴１８ａ、１８ｂ（１８ｃ、１８ｄ）は、後述するように支持台８が装置本体内に完全にセットされた際に、装置本体の側板１６に形成された位置決めピン１７ａ、１７ｂ（１７ｃ、１７ｄ）と係合される。
【００１８】
次に、支持台８に支持された転写材搬送ベルトユニットＡを装置本体内側でのセット位置と装置本体外側での引き出し位置との間で移動させる場合について図３を用いて説明する。
【００１９】
まず、図１や図３（ａ）で示すように、ユニットが装置本体にセットされ、転写材搬送ベルトが転写紙を搬送可能な状態について説明する。転写材搬送ベルトユニットＢがこれを支持する支持台８とともに装置本体のセット位置に位置している状態では、支持部材１４はスプリング２５によって、ケース７を押し上げるように付勢されている。これにより、ケース７に収納保持されたベルトユニットＡが感光体ドラム１近接され、転写材に対する転写が可能となる。
【００２０】
また、このセット位置では、装置本体の前側版１６に設けられた位置決めピン１７ａ、１７ｂが支持台８の前側板１０ａに設けられた位置決め穴１８ａ、１８ｂに係合する。また、装置本体の後側板１０ｂに設けられた位置決め穴１８ｃ、１８ｄにも、図示しない装置本体側の位置決めピンが係合する。これにより、支持台８とこれに支持された転写材搬送ベルトユニットＡが装置本体に対して位置決めされる。
【００２１】
このセット位置から転写材搬送ベルトユニットＡを支持台８とともに装置本体の外側に引き出す場合には、まず、図３（ａ）の操作レバー１３を、反時計回りに回転させる。これにより、軸部１１が回転するとともに、軸部１１に取り付けられたカム１２が回転する。カム１２が回転することにより、図３（ｂ）のように支持部材１４の一端を持ち上げ、支持部材１４が時計回りに回転する。支持部材が回転することにより、ケース７を支持していた支持部材１４の端部が下がり、ケース７の下面に対する支持部材１４からの押圧状態が解除される。この結果、支持台８によって支持されている転写材搬送ベルトユニットＡは、その自重によって下側に回動し、感光体ドラム１から離間される。感光体ドラム１と転写材搬送ベルト３を離間することにより、ジャム処理時に感光体ドラム１や転写材搬送ベルト３が接触により傷つくことを防止することができる。
【００２２】
このように、転写材搬送ベルト３を装置本体の外側に引き出すことができる為、メンテナンス性が良好となる。
更に、転写材搬送ベルト３を離間する際に用いる操作レバー１３は、ユニット部を引き出すために作業者が把手する際にも利用され、このレバーを引くことでユニットを引き出すことができる。
【００２３】
また、本実施例の画像成形装置において、転写材搬送ベルト３が感光体ドラム１に近接した状態であるセット位置では、転写材搬送ユニット１９を装置本体から外側に引き出すことができないようになっている。したがって、転写材搬送ベルト３と感光体１とが接触した状態で転写材搬送ベルト３が誤って装置本体から引き出されることがなく、それに伴う感光体１の損傷等を、専用品を別個に設けることなく、未然に防止することができる。
【００２４】
次に、本発明の特徴部である操作レバー１３の形状について説明する。
図５は本発明の操作レバー１３の斜視図であり、図６は本発明を適用した転写材搬送ユニットの斜視図である。使用者がユニットを引き出す際に力を加える把手部１３ａとは軸部１１との接合部である把手支持部１３ｂをはさんで反対側の端部に、ユニット本体に接触する回動規制手段としての回動規制部材である凸部１３ｃを設けている。この凸部１３ｃを設けることによる作用を図７を用いて説明する。図４と同様に力Ｆが加わると、点Ｐを支点にして回動する力が加わり端部１３ｄがユニット方向に変位しようとする。しかし、凸部１３ｃがあるため端部１３ｄは変位することができない。これにより、この変位による軸部１１にかかる曲げモーメントを軽減できる。
【００２５】
また、凸部１３ｃを操作レバー１３のスットパとして兼用させても良い。図７のに示すように、ユニット本体１９側の凸部１３ｃが接触する面に、凸部１３ｃの先端部の移動範囲を規制する回転範囲規制部材としてのストッパ抑え２６ａ、２６ｂを設ける。装置本体外側の引き出し位置は、操作レバー１３を反時計回りにストッパ押さえ６ａ位置まで回すと、転写材搬送ベルト３の押圧状態が解除され前記搬送ユニットが引き出せる。装置本体内側のセット位置は、前記搬送ユニットを押し込み操作レバー５を時計回りにストッパ押さえ６ｂ位置まで回すと、転写材搬送ベルト３が押圧状態となり前記搬送ユニットがセットされる。これによって、操作レバー１３の回転移動可能な回転範囲は規制され、転写材搬送ベルト３が感光体ドラム１に近接する状態と、感光体１から離間した状態での操作レバー１３の位置が決定する。
【００２６】
以上、本実施形態に係る画像形成装置において、搬送ベルトの接離機構の操作レバーと転写材搬送ユニット１９の引出し用把手を兼用した操作レバー１３に、たわみ防止の凸部を設けることにより、操作レバーと転写材搬送ユニットをつなぐ軸部の変形を防止することができる。
【００２７】
次に、本実施形態を適用可能な変形例１の操作レバー１３の形状を図９に示す。本変形例１では、軸部１１と把手部１３ａをつなぐ把手支持部１３ｂが、直径が把手部１３ａの最大幅である円柱形状となっている。また、軸部１１をユニット側で支持するユニット側支持部２３を設け、ユニット側支持部２３も支持部１３ａと同じ直径の円柱形状の構成となっている。そして、支持部１３ｂとユニット側支持部２３は図９で示すように、軸部１１を中心とした円形の平面で接触している。ユニットを引き出すために把手部１３ａに力を加え、軸部１１に曲げモーメントが働こうとしても、接触面Ｒ領域での抗力により軸部１１に働く曲げモーメントを軽減できる。また、ユニットを引き出し、ジャム処理が終わりユニットを装置本体に押し込む時、把手部１３ａのみに力を加えて押し込んだとしても、接触面Ｌ領域での抗力により軸部１１に働く曲げモーメントを軽減できる。
【００２８】
以上、本変形例１にかかる画像形成装置においては、ユニットを引き出す時だけでなく、ユニットを装置本体にセットするために押し込む時でも、レバーの軸部１１の変形を防止することができる。
【００２９】
次に、本実施形態を適用可能な変形例２の、操作レバー１３が接続されている付近のユニットの概要図を図１０に示す。本変形例２では、上述の実施形態で操作レバー１３に設けた凸部１３ｃと同様の作用を持つものを転写材搬送ユニット１９側に設けたものである。これは使用者がユニットを引き出す際に力を加える把手部１３ａとは軸部１１との接合部である把手支持部１３ｂをはさんで反対側に延出部１３ｅを設けている。そして、操作レバー１３がユニット引出しの位置にあるとき、延出部１３ｅの端部に接触するように回動規制手段としての回動規制部材である凸部２７を転写材搬送ユニット１９側に設けている。この凸部２７により、図４と同様に力Ｆが加わると、点Ｐを支点にして回動する力が加わり延出部１３ｅの端部がユニット方向に変位しようとする。しかし、凸部２７があるため延出部１３ｅの端部は変位することができない。これにより、この変位による軸部１１にかかる曲げモーメントを軽減できる。
【００３０】
また、操作レバー１３を引くことによって引き出される転写材搬送ユニット１９が、定着装置６やレジストローラ２ａ、２ｂを含んだ構成にしてもよい。
これにより、転写材搬送ベルト３のみを有するユニットを装置本体から着脱可能にするものと比べ、レジストローラ２、転写材搬送ベルト３、定着装置６といった一連の転写材の搬送系路の位置合わせが容易になる。
【００３１】
以上、本実施形態の画像形成装置は、像担持体である感光体１上のトナー像が転写される転写位置を通過するように転写材を搬送する転写材搬送部材としての転写材搬送ベルト３と、作業者によって把手される把手部１３ａを有する操作レバー１３と、該把手部１３ａの一端部に固定された軸部１１と、該操作レバー１３が該一端部を中心に回転することで生じる軸部１１の回転に応じ、感光体１に対して転写材搬送ベルト３を近接又は離間させる接離機構とを有する、装置本体に対して着脱可能な転写材搬送ユニット１９を備え、作業者が把手部１３ａを把手して操作レバー１３を軸部１１の軸方向に沿って引くことにより、転写材搬送ユニット１９が装置本体から取り外されるように構成されている。この画像形成装置は、上記一端部を中心とした、軸部１１の軸線を含む仮想平面に沿った操作レバー１３の回動動作を規制する回動規制手段としての凸部１３ｃを有している。このような構成により、軸部１１に加わる曲げモーメントを軽減することができる。
また、本実施形態における上記凸部１３ｃは、上記一端部を挟んで把手部１３ａの反対側に設けられ、転写材搬送ユニット１９の外板に接触する回動規制部材である。このような構成により、操作レバー１３に、凸部１３ｃを設ける簡単な構成で軸部１１に加わる曲げモーメントを軽減することができる。
また、本実施形態における上記凸部１３ｃに当接して操作レバー１３の回転範囲を規制する回転範囲規制部材としてのストッパ抑え２６を、転写材搬送ユニット１９の外板上に設けている。このような構成により、操作レバー１３に新たな部材を設けることなく、操作レバー１３の回転範囲を規制することができる。
また、本実施形態では操作レバー側に、凸部１３ｃを設けたが、転写材搬送ユニット側に設けても良い。具体的には、上記操作レバー１３に、把手部と軸との結合部から上記把手部の反対側へ延びる延出部１３ｅを設け、軸部１１の軸方向に沿って該操作レバーを引くときに延出部１３ｅと接触するように、転写材搬送ユニット１９の外板上に回動規制部材としての凸部２７を設ける。このような構成により、転写材搬送ユニット１９の外板に、凸部２７を設ける簡単な構成で軸部１１に加わる曲げモーメントを軽減することができる。
また、本実施例における画像形成装置において、転写材搬送ユニット１９は、上記転写材搬送ベルト３を有する転写搬送ベルトユニットＡと、トナー像が転写された転写材にトナー像を定着させる定着装置６とを含むように構成されている。この構成によって、転写材搬送ベルト３と定着装置６との位置合わせが容易になる。
また、本実施形態における画像形成装置において、転写材搬送ユニット１９は、レジストローラ２を含むように構成されている。この構成によって、転写材搬送ベルト３とレジストローラ２との位置合わせが容易になる。
【図面の簡単な説明】
【００３２】
【図１】装置本体から着脱可能な転写材搬送ユニットの説明図。
【図２】転写材搬送ユニット内部にあり転写材搬送ベルトユニットを支える支持台の説明図。
【図３】感光体と転写材搬送ベルトの接離機構の説明図。
【図４】従来の操作レバー説明図。
【図５】本発明にかかる操作レバーの斜視図。
【図６】本発明にかかる操作レバーを適用した転写材搬送ユニットの斜視図。
【図７】本発明にかかる操作レバーの説明図。
【図８】本発明にかかる操作レバーの正面図。
【図９】本発明にかかる操作レバーの変形例１の形状説明図。
【図１０】本発明にかかる操作レバーの変形例２の形状説明図。
【符号の説明】
【００３３】
１      感光体ドラム
２ａ，ｂ      レジストローラ
３      転写材搬送ベルト
４      転写材搬送ベルト駆動ローラ
５      転写バイアスローラ
６      定着器
７      転写材搬送ベルト支持ケース
８      転写材搬送ベルト支持台
９      転写材搬送ベルト回動軸
１０ａ、ｂ    支持台側板
１１    操作レバー回転軸
１２    回転カム
１３    操作レバー
１４    転写材搬送ベルト支持ケース支持部材
１５ａ、ｂ    転写バイアスローラ
１６    装置本体の側板
１７ａ、ｂ、ｃ、ｄ    位置決めピン
１８ａ、ｂ、ｃ、ｄ    位置決め穴
１９  転写材搬送ユニット
２０    現像器
２１    クリーニング部
２２    帯電チャージャー
２３    ユニット側支持部
２５    スプリング
２６    ストッパ抑え
２７    ユニット側レバー回動規制部材
【図１】
2005091980.tif 000003
【図２】
2005091980.tif 000004
【図３】
2005091980.tif 000005
【図４】
2005091980.tif 000006
【図５】
2005091980.tif 000007
【図６】
2005091980.tif 000008
【図７】
2005091980.tif 000009
【図８】
2005091980.tif 000010
【図９】
2005091980.tif 000011
【図１０】
2005091980.tif 000012